(57)【特許請求の範囲】
【請求項１】
与えられた制御値に対応した電圧または電流を出力する電源回路と、
前記電源回路の出力電圧を検出する電圧モニタ信号検出手段と、
前記電源回路の出力電流を検出する電流モニタ信号検出手段と、
前記電流モニタ信号検出手段で検出された電流モニタ信号に乗ずる係数を複数の異なる係数より選択して、前記電源回路の等価出力抵抗値を切り換える切り換え手段と、
前記切り換え手段により選択された前記係数、及び前記電流モニタ信号、及び前記電圧モニタ信号検出手段で検出された電圧モニタ信号に基づいて、前記電流モニタ信号と前記電圧モニタ信号とが合成された出力モニタ信号を生成する出力モニタ信号生成手段と、
前記出力モニタ信号生成手段により生成された出力モニタ信号と、予め決められた値とを比較し、当該比較結果に基づいて前記制御値を出力する制御値出力手段とを備えたことを特徴とする高圧電源の制御回路。
【請求項２】
前記出力モニタ信号生成手段は、
前記モニタ信号に所定の係数を乗ずるとともに、前記電流モニタ信号に前記切り換え手段により選択された係数を乗ずる乗算手段と、
前記乗算手段により乗算された電圧モニタ信号と電流モニタ信号とを加算する加算手段とを備えたことを特徴とする請求項１に記載の高圧電源の制御回路。
【請求項３】
請求項１又は２に記載の高圧電源の制御回路と、
感光体ドラムと、
前記高圧電源の制御回路により供給された電圧に基づいて前記感光体ドラムに形成されたトナー像を媒体に転写する転写ローラと、
前記媒体の種類に基づいて、前記切り換え手段を、出力すべき制御値を設定するために制御する制御部とを備えたことを特徴とする電子写真プリンタ。
【発明の詳細な説明】
【０００１】
【発明の属する技術分野】
本発明は、例えば電子写真プリンタに用いられる高圧電源の制御回路に関する。
【０００２】
【従来の技術】
一般に、電子写真プリンタにおいては、感光体ドラムの表面が帯電器によって一様にかつ均一に帯電させられ、露光器によって露光され、静電潜像が形成されるようになっている。そして、形成された静電潜像は現像器によって現像されてトナー像になり、このトナー像は転写ローラによって媒体に転写され、定着器によって媒体に定着される。
【０００３】
【発明が解決しようとする課題】
ところで、トナー像を媒体に転写する場合、感光体ドラムのトナーを静電気力によって媒体に良好に付着させるため、転写ローラに電源供給を行う転写用電源を制御するようになっている。
ここで、転写ローラの抵抗値は、一般に温度、湿度の影響を受ける。特に、抵抗値に電流依存性が少ない線形性の良い転写ローラは、転写性に優れる傾向を有するが、一般にこのような転写ローラは導電性をイオン導電によっている場合が多く、特に環境の影響を受けやすい。
そこで、一般的にはこの転写ローラの抵抗値の変化を少なくするために、転写ローラと抵抗値と同程度のシリーズ抵抗を電源回路に挿入することがよく行われている。
ここで、シリーズ抵抗値に単一の適正値が存在すればよいが、一般に媒体に応じて異なるので、抵抗値を切り換える必要が生じてくる。たとえば、幅広の媒体では転写ローラの抵抗に変化の影響を少なくするため、抵抗値は大きい方がよい。一方、はがき等の場合は、転写ローラと感光体ドラムが直接接触する部分が多く転写電流のほとんどは、転写ローラから感光体ドラムへと流れてしまうので、抵抗値は小さい方が良い。この抵抗の切換えは、転写電圧として一般に数ＫＶを使用しているので、半導体スイッチは使用できず、メカニカルな接点による切換えか、高価な高圧リレーを使用せざるを得なかった。
このように、従来の装置の場合、転写ローラと高圧電源との間に複数のシリーズ抵抗を切換え可能に設けるため、高圧リレーが必要となり、その結果、装置が大型化し、また高価となるという問題点があった。
【０００４】
【課題を解決するための手段】
本発明は、前述の課題を解決するため次の構成を採用する。
〈構成１〉
与えられた制御値に対応した電圧または電流を出力する電源回路と、電源回路の出力電圧を検出する電圧モニタ信号検出手段と、電源回路の出力電流を検出する電流モニタ信号検出手段と、電流モニタ信号検出手段で検出された電流モニタ信号に乗ずる係数を複数の異なる係数より選択して、電源回路の等価出力抵抗値を切り換える切り換え手段と、切り換え手段により選択された係数、及び電流モニタ信号、及び電圧モニタ信号検出手段で検出された電圧モニタ信号に基づいて、電流モニタ信号と電圧モニタ信号とが合成された出力モニタ信号を生成する出力モニタ信号生成手段と、出力モニタ信号生成手段により生成された出力モニタ信号と、予め決められた値とを比較し、当該比較結果に基づいて制御値を出力する制御値出力手段とを備えたことを特徴とする高圧電源の制御回路。
【０００５】
〈構成２〉
出力モニタ信号生成手段は、モニタ信号に所定の係数を乗ずるとともに、電流モニタ信号に切り換え手段により選択された係数を乗ずる乗算手段と、乗算手段により乗算された電圧モニタ信号と電流モニタ信号とを加算する加算手段とを備えたことを特徴とする構成１に記載の高圧電源の制御回路。
【０００６】
〈構成３〉
構成２に記載の高圧電源の制御回路において、任意の値を設定する係数値保持部と、係数値保持部の値を乗算する乗算手段とを備えたことを特徴とする高圧電源の制御回路。
【０００７】
〈構成３〉
構成１又は構成２に記載の高圧電源の制御回路と、感光体ドラムと、高圧電源の制御回路により供給された電圧に基づいて感光体ドラムに形成されたトナー像を媒体に転写する転写ローラと、媒体の種類に基づいて、切り換え手段を、出力すべき制御値を設定するために制御する制御部とを備えたことを特徴とする電子写真プリンタ。
【０００８】
【発明の実施の形態】
以下、本発明の実施の形態を具体例を用いて詳細に説明する。
《具体例１》
〈構成〉
図１は、本発明の高圧電源の制御回路の具体例１を示す構成図である。
図の装置は、電源回路１００、電圧モニタ信号検出手段１０１、電流モニタ信号検出手段１０２、制御値生成手段１０３からなり、制御値生成手段１０３は、乗算手段１０４、加算手段１０５、制御値出力手段１０６からなる。
電源回路１００は次のように構成されている。即ち、１はトランジスタであり、このトランジスタ１のベースに抵抗２が接続され、抵抗２を介して電源回路１００への制御値であるＰＷＭ（Pulse Width Moduration）信号が供給されるようになっている。トランジスタ１のコレクタは、ダイオード３を介してトランス４の一次巻線側に接続され、エミッタは接地されている。トランス４の一次巻線側には電源Ｖｃｃが供給され、また、一次側に接続されたコンデンサ５と抵抗６は、トランス４の一次側のインダクタンスと共振回路を構成し、トランジスタ１のオフ時に一次側の電圧を正弦波状にし、効率よく二次側に高電圧を発生させるものである。トランス４の二次側には、コンデンサ７，８、ダイオード９，１０からなる倍電圧整流回路が設けられている。倍電圧整流回路の出力側はＴＲ出力（図示省略した転写ローラへの供給出力）となっている。
【０００９】
また、倍電圧整流回路の接地側（０Ｖ電位側）は、電流モニタ信号検出手段１０２を構成するオペアンプ１１のマイナス入力端子に接続されている。このオペアンプ１１のマイナス入力端子と出力端子との間には抵抗１２が接続されている。更に、倍電圧整流回路の出力は、抵抗１３，１４で分圧され、この分圧出力がオペアンプ１５で構成されたボルテージフォロワ（バッファ回路）に入力されるようになっている。尚、抵抗１３，１４およびオペアンプ１５によって電圧モニタ信号検出手段１０１が構成されており、オペアンプ１１，１５の出力はそれぞれ電流モニタ信号、電圧モニタ信号として出力されるようになっている。
【００１０】
これら電圧モニタ信号および電流モニタ信号は、乗算手段１０４を介して加算手段１０５に入力されるよう構成されている。乗算手段１０４は、抵抗１６，１７，１８，１９およびアナログスイッチ２０，２１からなる。また、加算手段１０５は、抵抗２２，２３およびオペアンプ２４からなる。
電圧モニタ信号は抵抗１６を介してオペアンプ２４のプラス入力端子に接続され、電流モニタ信号は、抵抗１７とアナログスイッチ２０を介して、または、抵抗１８とアナログスイッチ２１を介してオペアンプ２４のプラス入力端子に接続されている。また、オペアンプ２４のプラス入力端子は抵抗１９を介して接地されている。アナログスイッチ２０および２１は、それぞれ抵抗１７とオペアンプ２４のプラス入力端子および抵抗１８とオペアンプ２４のプラス入力端子との間に挿入されているスイッチであり、電流モニタ側に乗ずる定数を切り換えるためのものである。オペアンプ２４の出力端子とマイナス入力端子との間には抵抗２２が接続され、また、マイナス入力端子は抵抗２３を介して接地されている。
【００１１】
加算手段１０５の出力は、制御値出力手段１０６に入力される。この制御値出力手段１０６は、プリンタ全体の制御を司るＣＰＵ（図示省略）を内部に有するプリンタ制御用ＡＳＩＣ  ＬＳＩで構成されており、Ａ／Ｄコンバータ２５、レジスタ２６、コンパレータ２７、発振回路２８、ＡＮＤ回路２９からなる。
加算手段１０５の出力は、制御値出力手段１０６におけるＡ／Ｄコンバータ２５に入力される。この入力は、Ａ／Ｄコンバータ２５によりデジタル値に逐次変換され、内部バスと接続されて内蔵のＣＰＵにより書換え可能なレジスタ２６とコンパレータ２７により比較されるようになっている。コンパレータ２７の出力はレジスタ２６の値とＡ／Ｄコンバータ２５の出力とを比較し、Ａ／Ｄコンバータ２５の出力の方がレジスタ２６の値より大きい場合は０（Ｌｏｗ）を、小さい場合は１（Ｈｉｇｈ）を出力するよう構成されている。そして、このコンパレータ２７の出力は、発振回路２８の出力とＡＮＤ回路２９によって論理積演算され、ＡＮＤ回路２９の出力はＰＷＭ信号となるよう構成されている。
【００１２】
このＰＷＭ信号は、上述した電源回路１００のＰＷＭ入力となり、抵抗２を介してトランジスタ１のベースを駆動するようになっている。これにより、加算手段１０５の出力がレジスタ２６内の値に相当する電圧より高い場合はＰＷＭ出力は休止し（出力＝０）、逆に低い場合はパルスが出力され（出力＝１）、トランジスタ１を駆動する。このような構成により、レジスタ２６内に書き込む値に基づいて加算手段１０５の出力が所望の値となるよう制御されるものである。
【００１３】
〈動作〉
先ず、図示省略したＣＰＵによって、レジスタ２６内に所望する電圧値を書き込む。すると、上述したように、加算手段１０５の出力電圧がそのレジスタ２６に相当する電圧となるよう、ＴＲ出力が出力される。
例えば、分圧抵抗１３および１４の抵抗値をそれぞれＲ１３，１４とした場合、Ｒ１４／（Ｒ１３＋Ｒ１４）が１／１０００で、加算手段１０５の電圧モニタ信号に乗ずる定数が１である場合、加算手段１０５の出力電圧が３Ｖ相当のレジスタ２６の値を設定すればＴＲ出力は３ＫＶとなる。
【００１４】
次に、ＴＲ出力の出力電流が流れた場合を考える。出力電流ＩＴＲは、オペアンプ１１のマイナス入力端子に流れる。オペアンプ１１のプラス入力端子は０Ｖ電位のため、マイナス入力端子部分の電位は０Ｖと零電位であるが、このＩＴＲは、抵抗１２を介してオペアンプ１１の出力端子側から供給される。従って、電流モニタ信号の電圧は、抵抗１２の抵抗値をＲ１２とすると、ＩＴＲ・Ｒ１２となる。例えば、Ｒ１２＝２ＭΩの場合、出力電流１μＡ当たり２Ｖの出力電圧が出力されることになる。
【００１５】
ここで、出力にシリーズ抵抗Ｒが挿入された場合を想定する。
図２は、これを示す説明図である。
図示のように、出力Ｖは、元の電圧Ｖ０からＩ・Ｒだけ低下した値となる。例えば、Ｒ＝１００ＭΩの場合は１μＡ当たり１００Ｖ、Ｒ＝３０ＭΩの場合は１μＡ当たり３０Ｖの出力の低下となる。
図１の回路に対してこれを適用した場合、電流モニタ信号は１μＡ当たり２Ｖであるから、電圧モニタ信号に加算される電流モニタ信号に乗ずる定数を１／２０にすれば、加算手段１０５の出力電圧において、ＩＴＲが１μＡ当たり０．１Ｖとなり、１／６６にすればＩＴＲが１μＡ当たり約０．０３Ｖ加算される。
加算手段１０５の出力電圧は３ＫＶ相当の３Ｖに制御されることから、
出力電圧は、
３０００−ＩＴＲ（μＡ）・１００または３０００−ＩＴＲ（μＡ）・３０に制御される。
これは、３０００−ＩＴＲ（Ａ）・１００ＭΩまたは３０００−ＩＴＲ（Ａ）・３０ＭΩとなり、出力電圧と出力電流ＩＴＲの関係はちょうど１００ＭΩ、３０ＭΩのシリーズ抵抗を挿入した場合と等価になる。即ち、アナログスイッチ２０，２１のオン／オフ信号Ｓ１，Ｓ２によって、抵抗１７または抵抗１８を切り換えることで、二つの値のシリーズ抵抗を挿入した場合と等価な回路を実現することができる。
【００１６】
上記例において、乗算手段１０４の抵抗切換えが抵抗１７、抵抗１８のみで抵抗１９が固定であるため、厳密には正確ではないが、抵抗１６〜抵抗１９、抵抗２２、２３の値は概略次のように考えることができる。
先ず、加算手段１０５の出力電圧は次のように表される。
図３は、加算手段１０５の出力特性を示す説明図である。
図中、（ａ）はアナログスイッチ２０をオン、アナログスイッチ２１をオフとして抵抗１７を選択した場合、（ｂ）は、アナログスイッチ２１をオン、アナログスイッチ２０をオフとして抵抗１８を選択した場合を示している。また、図中、例えばＲ１９//Ｒ１７といった表記はＲ１９とＲ１７の並列接続の合成抵抗値を示している。
【００１７】
図３に示す式（２ａ）または式（２ｂ）において、電圧モニタ信号の定数／電流モニタ信号の定数を、１／２０または１／６６とし、かつ、Ｒ１９＜＜Ｒ１７、Ｒ１９＜＜Ｒ１８とした場合、Ｒ１９//Ｒ１７≒Ｒ１９、Ｒ１９//Ｒ１８≒Ｒ１９と近似すれば、Ｒ２２＝Ｒ２３のとき、Ｒ１６＝Ｒ１９となる（電圧モニタ信号に乗ずる定数は１）。
また、
Ｒ１７≒（Ｒ１９//Ｒ１６）・２０＝１０・Ｒ１９＝１０・Ｒ１６（アナログスイッチ２０をオン時、１００ＭΩ相当）
Ｒ１８≒（Ｒ１９//Ｒ１６）・６６＝３３・Ｒ１９＝３３・Ｒ１６（アナログスイッチ１９をオン時、３０ＭΩ相当）
にて、大凡、所望する特性を得ることができる。
【００１８】
〈効果〉
以上のように、具体例１によれば、電圧モニタ信号の他に、電流モニタ信号の検出手段と、これら電圧モニタ信号または電流モニタ信号に定数を乗じて加算する加算回路とを設け、かつ、これらの定数を選択可能としたので、あたかも出力に挿入したシリーズ抵抗を切り換えたのと等価な働きを実現することができる。これにより、高価な出力シリーズ抵抗や高圧リレーを不要とすることができ、電源回路の小型化・低価格化に寄与することができる。
【００１９】
《具体例２》
〈構成〉
図４および図５は具体例２の構成図である。
これらの図において、電源回路１００、電圧モニタ信号検出手段１０１および電流モニタ信号検出手段１０２は具体例１と同様であるため、その図示は省略し、乗算手段以降の構成を示している。
本具体例では、乗算手段を構成する部分まで、プリンタ制御用ＡＳＩＣであるＬＳＩ１０７またはＬＳＩ１０８に内蔵したものである。ここで、図４の構成はコアとなるＣＰＵが８〜１６ビットといった性能があまり高くない場合の構成例であり、図５の構成はコアとなるＣＰＵが３２ビットＲＩＳＣ等、比較的高速・高性能である場合の構成例である。
【００２０】
先ず、図４の構成例について説明する。
電圧モニタ信号および電流モニタ信号は、第１の多重化回路３０に入力され、次にＡ／Ｄコンバータ３１に入力されるよう構成されている。この後、第２の多重化回路３２に入力され、前述の各々の入力電圧に対応したデジタル値が格納されるよう、レジスタ３３，３４に入力される。この場合、多重化は時分割で行われ、ある周期で同期して入力側と出力側を切り換えることで行われる。
レジスタ３４の値は、内部バスに接続されて図示しない内部ＣＰＵにより書換え可能なレジスタ３５の値と共に、乗算回路３６に入力され、レジスタ３３の値はこの乗算回路３６の出力と共に加算回路３７に入力されるよう構成されている。
【００２１】
加算回路３７の出力と、レジスタ３５と同様に内部バスに接続されて図示しないＣＰＵにより書換え可能なレジスタ３８の値はコンパレータ３９に入力され比較されるようになっている。コンパレータ３９はレジスタ３８の値よりも加算回路３７出力の値の方が小の時、出力を１（Ｈｉｇｈ）とする。コンパレータ３９の出力は発振回路４０の出力とＡＮＤ回路４１によって論理積演算され、ＰＷＭ信号となってＬＳＩ１０７より出力されるよう構成されている。尚、図４の構成において、レジスタ３５が係数値保持部を構成し、また、乗算回路３６が乗算手段に、加算回路３７が加算手段に、レジスタ３８〜ＡＮＤ回路４１が制御値出力手段にそれぞれ対応している。
【００２２】
図５の構成例においては、電圧モニタ信号および電流モニタ信号は、第１の多重化回路４２に入力され、次にＡ／Ｄコンバータ４３に入力されるよう構成されている。この後、第２の多重化回路４４に入力され、前述の各々の入力電圧に対応したデジタル値が格納されるよう、レジスタ４５，４６に入力される。この場合、多重化は時分割で行われ、ある周期で同期して入力側と出力側を切り換えることで行われる。レジスタ４５およびレジスタ４６は、それぞれＣＰＵ４７より読込み可能なよう内部バス４８に接続されている。また、この内部バス４８にはカウンタタイマ回路４９が接続され、ＣＰＵ４７からこのカウンタタイマ回路４９に対して指令を行うことにより、任意のパルス幅のＰＷＭ信号を送出するようになっている。そして、カウンタタイマ回路４９の出力がＰＷＭ信号としてＬＳＩ１０８から出力されるよう構成されている。また、図５の構成においては、乗算手段および加算手段は、ＣＰＵ４７がそれぞれの機能に対応したプログラムを実行することで実現され、制御値出力手段はＣＰＵ４７とカウンタタイマ回路４９および対応するプログラムによって実現されているものである。
【００２３】
〈動作〉
先ず、図４の構成例の動作を説明する。
電圧モニタ信号および電流モニタ信号の各々に対応したデジタル変換値がレジスタ３３およびレジスタ３４に格納される。レジスタ３４の値にはレジスタ３５の値が乗算回路３６により乗じられ、この乗算値は加算回路３７でレジスタ３３の値と加算される。そして、この加算値とレジスタ３８の値がコンパレータ３９によって比較され、加算値がレジスタ３８の値よりも小の場合、コンパレータ３９は１（Ｈｉｇｈ）を出力する。即ち、（レジスタ３３の値）＋（レジスタ３４の値）×（レジスタ３５の値）＜（レジスタ３８の値）となったとき、コンパレータ３９の出力は１（Ｈｉｇｈ）となり、発振回路４０とＡＮＤ回路４１により論理積演算され、オン時間に対応したパルス幅のＰＷＭ信号が送出される。
【００２４】
このようにして、（レジスタ３３の値）＋（レジスタ３４の値）×（レジスタ３５の値）が（レジスタ３８の値）になるようＰＷＭ信号が出力され、また、レジスタ３３およびレジスタ３４の値は、それぞれ電圧モニタ信号および電流モニタ信号の値に対応しているので、
図４において、
ｋ１×ＶＴＲ＋ｋ２×（レジスタ３５の値）×ＩＴＲ＝ｋ３×（レジスタ３８の値）となり、これは次のように表すことができる。
ＶＴＲ＝（ｋ３／ｋ１）×（レジスタ３８の値）−ＩＴＲ×（ｋ２／ｋ１）×（レジスタ３５の値）  但し、ｋ１〜ｋ３は定数
これは、図２における式（１）に相当し、レジスタ３５、レジスタ３８の値を適当な値とすれば、Ｖ＝Ｖ０−Ｉ・Ｒと同等の具体例１と同様の出力特性を得ることができる。
【００２５】
次に図５の構成例の動作を説明する。
図５の構成においては、電圧モニタ信号、電流モニタ信号の各々に対応したデジタル変換値がレジスタ４５，４６に格納される。この値はＣＰＵ４７が読込むことができ、ＣＰＵ４７はプリンタの全体の印字制御を行いつつ、以下の動作を行う。
図示しないメモリ（係数値保持部）に格納された係数Ｎ１と比較値Ｎ２があり、ＣＰＵ４７はレジスタ４６の値にＮ１を乗じ、レジスタ４５の値を加算する。この加算値と比較値Ｎ２とを比較し、加算値が比較値Ｎ２より小の場合、ＣＰＵ４７はカウンタタイマ回路４９にパルス幅に相当する値を書き込む。すると、カウンタタイマ回路４９は、その値に応じたパルス幅のパルスを同期的に出力する。
もし、加算値が比較値Ｎ２より大の場合は、ＣＰＵ４７は、カウンタタイマ回路４９に、０（出力無し）を書き込む。すると、カウンタタイマ回路４９の出力は何も出力されない。カウンタタイマ回路４９の出力はＰＷＭ信号として図１に示したトランジスタ１を駆動する。そのため、ＣＰＵ４７が上記の動作を印字制御処理中に適当な周期で繰り返せば、ほぼ比較値Ｎ２と同じ値でバランスする。レジスタ４５は電圧モニタ信号の値に、レジスタ４６は電流モニタ信号の値にそれぞれ対応しているので、
図５において、
ｋ１×ＶＴＲ＋Ｎ１×ｋ２×ＩＴＲ＝ｋ３×Ｎ２となり、これは次のように表すことができる。
ＶＴＲ＝（ｋ３／ｋ１）×Ｎ２−ＩＴＲ×（ｋ２／ｋ１）×Ｎ１  但し、ｋ１〜ｋ３は定数
これは、図２における式（１）に相当し、Ｎ１とＮ２を適当な値とすれば、Ｖ＝Ｖ０−Ｉ・Ｒと同等の具体例１と同様の出力特性を得ることができる。
【００２６】
〈効果〉
以上のように、具体例２によれば、乗算手段や加算手段等で用いる定数がレジスタやメモリ等に格納されているため、これらの値を書き換えることにより、任意の特性値を設定することが可能となり、更にきめ細かな転写用高圧電源回路の制御を行うことができる。また、具体例２では、乗算手段や加算手段をプリンタ本体の制御用ＡＳＩＣ内部に構成したので、オペアンプ等、アナログ回路の追加を行わずに済み、更に、低価格化および小型化を図ることができる。
【００２７】
《具体例３》
〈構成〉
図６は、具体例３の構成図である。
具体例３は、具体例２における制御用ＡＳＩＣの高圧電源の制御部を更に発展させたものである。
具体例３の回路では、具体例２と同様に、電圧モニタ信号および電流モニタ信号は第１の多重化回路５０、Ａ／Ｄコンバータ５１、第２の多重化回路５２を介して、それぞれレジスタ５３，５４に格納されるようになっている。即ち、第１の多重化回路５０で多重化され、Ａ／Ｄコンバータ５１でデジタル値に変換された電圧モニタ信号および電流モニタ信号は、第２の多重化回路５２によって再分配され、それぞれのデジタル値がレジスタ５３，５４に格納されるよう構成されている。ここで、レジスタ５３の値をＬＭＶ、レジスタ５４の値をＬＭＩとする。レジスタ５３の値ＬＭＶは乗算回路５５に入力され、乗算回路５５では、ＬＭＶに対してレジスタ５６の値（ａであるとする）を乗算する。また、レジスタ５４の値ＬＭＩは乗算回路５７に入力され、乗算回路５７では、ＬＭＩに対してレジスタ５８の値（ｂであるとする）を乗算するよう構成されている。即ち、乗算回路５５ではＬＭＶに対してａ倍、乗算回路５７ではＬＭＩに対してｂ倍の乗算を行うことになる。
乗算回路５５，５７の値は加算回路５９に入力されて加算され、加算回路５９の出力（これをＬＭＶＩとする）はコンパレータ６０に入力される。コンパレータ６０はＬＭＶＩとレジスタ６１の値を比較し、その出力はＯＲ回路６２に入力されるようになっている。
【００２８】
一方、レジスタ５３の値ＬＭＶはコンパレータ６３に入力され、コンパレータ６３ではレジスタ６４の値と比較するようになっている。コンパレータ６３の比較出力はＯＲ回路６２に入力されるよう構成されている。また、レジスタ５４の値ＬＭＩはコンパレータ６５に入力され、コンパレータ６５ではレジスタ６６の値と比較するようになっている。コンパレータ６５の比較出力はＯＲ回路６２に入力されるよう構成されている。ＯＲ回路６２の出力はＡＮＤ回路６７に入力され、ＡＮＤ回路６７では発振回路６８の出力と論理積演算を行い、その結果をＰＷＭ信号として出力するようになっている。また、具体例３の回路では、レジスタ５３，６４とコンパレータ６３で電圧値比較手段を、レジスタ５４，６６、コンパレータ６５で電流値比較手段を、乗算回路５５，５７、レジスタ５６，５８で乗算手段を、加算回路５９で加算手段を、レジスタ６１、コンパレータ６０で電圧電流値比較手段を、ＯＲ回路６２、ＡＮＤ回路６７、発振回路６８で制御値選択出力手段を構成している。
【００２９】
〈動作〉
上述したように、ＬＭＶは電圧モニタ信号に対応した値であり、ＬＭＩは電流モニタ信号に対応した値である。また、ＬＭＶＩは、ＬＭＶＩ＝ａ×ＬＭＶ＋ｂ×ＬＭＩで表される値である。これらの値は、それぞれ、レジスタ６４、レジスタ６６、レジスタ６１の値と比較され、これらの値が各レジスタの値よりも小の場合にＰＷＭ信号の１（Ｈｉｇｈ）が送出される。これは、ＯＲ回路６２により、いずれか一つのコンパレータ６０，６３，６５が、１（Ｈｉｇｈ）になったときにＰＷＭ信号がオン出力となるため、全体として各々の条件をすべて包含した出力特性となる。
【００３０】
ここで、ＬＭＶ＝ｋ１×ＶＴＲ，ＬＭＩ＝ｋ２×ＩＴＲとする（但し、ｋ１、ｋ２は定数）と、
条件１：ＬＭＶ＝ｋ１×ＶＴＲ＝レジスタ６４の値  即ち、ＶＴＲ＝（１／ｋ１）×レジスタ６４の値
条件２：ＬＭＩ＝ｋ２×ＩＴＲ＝レジスタ６６の値  即ち、ＩＴＲ＝（１／ｋ２）×レジスタ６６の値
条件３：ＬＭＶＩ＝ａ×ｋ１×ＶＴＲ＋ｂ×ｋ２×ＩＴＲ＝レジスタ６１の値即ち、ＶＴＲ＝（１／（ａ×ｋ１））×レジスタ６１の値−（（ｂ×ｋ２）／（ａ×ｋ１））×ＩＴＲ
【００３１】
このとき、電圧モニタ信号検出手段の分圧比を含めた係数である１／（ａ×ｋ１）の値を１相当、電流モニタ信号検出手段の比例定数を含めた係数である（ｂ×ｋ２）／（ａ×ｋ１）の値をＲ′相当であるとすると、ＶＴＲ＝Ｖ１−Ｉ・Ｒ′（Ｖ１はレジスタ６１で決定される電圧値）となり、当然、等価的に出力にＲ′のシリーズ抵抗を有する特性となる。
このとき、上記の条件１、条件２も加わるため、全体としての特性は、次に示す通りとなる。
【００３２】
図７は、具体例３の回路におけるＶ−Ｉ特性の説明図である。
ここで、図７（ａ）では、図６に示したレジスタ６４をＶ０相当の値、レジスタ６６の値をＩ０相当の値、レジスタ６１の値をＶ１相当の値（Ｖ０＜Ｖ１）としている。即ち、図中、▲１▼で示した部分の特性は、図７（ｂ）に示すようにＬＭＶに基づく特性であり、図中▲２▼で示した部分の特性はＬＭＩに基づく特性である。また、図中▲３▼で示した部分の特性がＬＭＶＩに基づく特性である。
こうして、複雑な条件を有する高圧電源回路を実現することができる。
【００３３】
具体例３の回路では、これら▲１▼〜▲３▼の特性のポイントは、各レジスタ６１，６４，６６の値によって任意に設定可能であるため、全体として任意の特性を得ることができる。例えば、レジスタ６４，６６に０に相当する値を書き込めば、具体例１、２と同等の特性を有する回路を実現することができる。
また、レジスタ６４の値をＶａ相当、レジスタ６１の値をＶｂ相当（但し、Ｖａ＞Ｖｂ）、レジスタ６６の値を０相当とすれば、出力電圧Ｖａの定電圧電源回路を実現することができる。一方、レジスタ６６の値をＩａ、レジスタ６４の値＝レジスタ６１の値＝０相当とすれば、出力電流Ｉａの定電流電源回路を実現することができる。
【００３４】
〈効果〉
以上のように、具体例３によれば、具体例１，２に加えて電圧値比較手段と電流値比較手段とを加え、これらの比較値と電圧電流値比較手段からの比較値のに基づいて制御値を出力するようにしたので、次のような効果がある。即ち、本具体例の高圧電源回路は、レジスタ値の設定によって定電圧電源や定電流電源が必要な装置にも容易に適用可能である。従って、多機種に亘る電子写真プリンタの高圧電源部を共通化することができる。
また、定電圧電源や定電流電源が必要な装置と表現したが、これ以外にも、機種毎だけでなく、同一機種であっても印字条件や印字を行う環境や媒体によっても必要とされる条件は変化する。例えば、一般的な媒体の場合は、転写ローラの抵抗の影響をうち消すために、出力にシリーズ抵抗を接続した特性である図７（ａ）の▲３▼の特性が望ましい。しかし、封筒のように、部分的に厚みが異なる、あるいは部分的に乾燥または湿気を帯びた媒体のように、部分的に媒体の抵抗値が異なる場合は、転写が行える最低の電流値以上の電流値を一定に流す図７（ａ）に示す▲２▼のような定電流特性が望ましい。一方、葉書や名刺のように幅の狭い媒体の場合、転写ローラとドラムが直接接している部分が多く、全体の抵抗が低くなるため、電流が多く流れ、従ってシリーズ抵抗での電圧低下が大きく、転写電圧不足になりやすい。そのため、図７（ａ）に示す▲１▼のような出力電流によらずに一定の電圧を出力する定電圧電源の特性が望ましい。
【００３５】
具体例３では、レジスタへの値の設定を変更することによって、どのような特性にでも変更可能であり、また、図７の（ａ）に示すような複合した特性も実現可能であるため、媒体の抵抗や種類により、印字中に動的に特性の変化が必要になった場合においても、電源の出力特性において追従が可能であり、その結果、電子写真プリンタの印字特性を更に向上させることが可能となる。
【００３６】
尚、上記各具体例において、高圧電源の制御回路として電子写真プリンタにおける転写ローラへの電源回路に適用した場合を説明したが、転写ローラだけでなく、例えば帯電ローラ等への電源供給であっても同様に適用可能である。
【００３７】
【発明の効果】
以上のように、本発明によれば、電源回路の出力を、電源回路の電圧モニタ信号と電流モニタ信号とに基づいて制御するようにしたので、シリーズ抵抗や切換えのための構成が不要となると共に、環境や媒体の種類に応じてきめ細かな電圧、電流の制御を行うことができる。
【図面の簡単な説明】
【図１】本発明の高圧電源の制御回路の具体例１の構成図である。
【図２】出力にシリーズ抵抗が挿入された場合の説明図である。
【図３】加算手段の出力特性を示す説明図である。
【図４】具体例２（その１）の構成図である。
【図５】具体例２（その２）の構成図である。
【図６】具体例３の構成図である。
【図７】具体例３の回路におけるＶ−Ｉ特性の説明図である。
【符号の説明】
１００  電源回路
１０１  電圧モニタ信号検出手段
１０２  電流モニタ信号検出手段
１０３  制御値生成手段
１０４、１１１  乗算手段
１０５  加算手段
１０６  制御値出力手段
１０９  電圧値比較手段
１１０  電流値比較手段
１１２  電圧電流値比較手段
１１３  制御値選択出力手段
【図１】
0004391058.tif 000002
【図２】
0004391058.tif 000003
【図３】
0004391058.tif 000004
【図４】
0004391058.tif 000005
【図５】
0004391058.tif 000006
【図６】
0004391058.tif 000007
【図７】
0004391058.tif 000008